(57)【要約】【課題】従来の電話機用送受話器と同じ感覚で使用することができ、既存の電話機に付け替えることにより安価に骨伝導受話を行なうことができる電話機用送受話器を提供することを課題とする。【解決手段】送話口２と受話口３を備えたケーシング１と、送話口２に設置されるマイクロホンと、受話口３に設置される骨伝導スピーカ４と、ケーシング１内に配置されて骨伝導スピーカ４に接続されるアンプ５と、電話機本体１５のジャック１６に差し込み可能な電話機用コネクタ９を備えていて、マイクロホン及び骨伝導スピーカ４に接続される接続コード６と、アンプ５とＡＣアダプタとを結ぶ電源用接続コード７とを備えて成る。【選択図】        図１
2004312171.tif 000002
【特許請求の範囲】
【請求項１】
送話口と受話口を備えたケーシングと、前記送話口に設置されるマイクロホンと、前記受話口に設置される骨伝導スピーカと、前記ケーシング内に配置されて前記骨伝導スピーカに接続されるアンプと、電話機本体のジャックに差し込み可能な電話機用コネクタを備えていて、前記マイクロホン及び前記骨伝導スピーカに接続される接続コードと、前記アンプとＡＣアダプタとを結ぶ電源用接続コードとを備えて成る電話機用送受話器。
【請求項２】
前記電源用接続コードは、ＡＣアダプタのＤＣプラグを差し込み可能なＤＣジャックを有している請求項１に記載の電話機用送受話器。
【請求項３】
前記電源用接続コードは、先端にＡＣアダプタが取り付けられたものである請求項１に記載の電話機用送受話器。
【請求項４】
前記ケーシングに、前記アンプ駆動用電源の入切スイッチを設置した請求項１乃至３のいずれかに記載の電話機用送受話器。
【請求項５】
前記入切スイッチは、送受話器を電話機本体から持ち上げることにより入動作をし、前記電話機本体に載置することにより切動作をする請求項４に記載の電話機用送受話器。
【請求項６】
前記骨伝導スピーカは、前記送話口に露出状態に設置されている請求項１乃至５のいずれかに記載の電話機用送受話器。
【請求項７】
前記骨伝導スピーカは、前記送話口に球面運動可能に設置されている請求項６に記載の電話機用送受話器。
【請求項８】
前記骨伝導スピーカは、前記送話口において前記ケーシングの長さ方向に移動可能である請求項６又は７に記載の電話機用送受話器。
【発明の詳細な説明】
【０００１】
【発明が属する技術分野】
本発明は電話機用送受話器、より詳細には、電話機本体に接続し、骨伝導スピーカを利用した骨伝導受話を行なうための電話機用送受話器で、予め電話機に取り付けられ、あるいは、既存の電話機に付け替えて用いるものに関する。
【０００２】
【従来の技術】
電話機の送受話器は、大部分のものが、スピーカとしてダイナミックスピーカ又はセラミックスピーカを用い、マイクロホンとしてエレクトレットマイクロホンを用いている。このような電話機の送受話器を、難聴者の使用、騒音下での使用等を考慮して骨伝導スピーカを用いたものに交換すると、スピーカ出力が不足して小さな音しか出せない。
【０００３】
従って、電話機の送受話器だけを取り替えて十分な骨伝導受話ができるようにするためには、骨伝導スピーカ駆動用のアンプが必要となり、更に、このアンプを駆動するための電源が必要となる。しかるに、電話機本体からアンプ駆動に十分な電力を取り出すことは望めないため、電池内蔵タイプにすることが考えられるが、その場合は、送受話器の重量が増して、使用に適さないこととなってしまう。
【０００４】
【発明が解決しようとする課題】
電話機用送受話器に骨伝導スピーカを組み込もうとする場合には、上述したような問題があったので、本発明は、そのような問題のない、即ち、従来の電話機用送受話器と同じ感覚で使用できて安価に骨伝導受話を行なうことができ、既存の電話機に付け替えて使用することもできる電話機用送受話器を提供することを課題とする。
【０００５】
【課題を解決するための手段】
本発明は、送話口と受話口を備えたケーシングと、前記送話口に設置されるマイクロホンと、前記受話口に設置される骨伝導スピーカと、前記ケーシング内に配置されて前記骨伝導スピーカに接続されるアンプと、電話機本体のジャックに差し込み可能な電話機用コネクタを備えていて、前記マイクロホン及び前記骨伝導スピーカに接続される接続コードと、前記アンプとＡＣアダプタとを結ぶ電源用接続コードとを備えて成る電話機用送受話器、を以て上記課題を解決するものである。
【０００６】
前記電源用接続コードは、ＡＣアダプタのＤＣプラグを差し込み可能なＤＣジャックを有するものとし、あるいは、前記電源用接続コードは、先端にＡＣアダプタを取り付けたものとする。
【０００７】
前記ケーシングに、前記アンプ駆動用電源の入切スイッチを設置することができ、その場合、前記入切スイッチは、送受話器を電話機本体から持ち上げることにより入動作をし、前記電話機本体に載置することにより切動作をするようにすることができる。
【０００８】
前記骨伝導スピーカは、前記送話口に露出状態に設置することができ、その場合、前記骨伝導スピーカは、前記送話口に球面運動可能に設置することができ、また、前記骨伝導スピーカは、前記送話口において前記ケーシングの長さ方向に移動可能にすることができる。
【０００９】
【発明の実施の形態】
以下、添付図面を参照しながら、本発明の好ましい実施形態について説明する。図１は、本発明に係る電話機用送受話器の一実施形態を示すものであり、本発明による電話機用送受話器のケーシング１は、電話機の送受話器として一般的な、送話口２と受話口３とを備えた形状を呈する。
【００１０】
送話口２内には、図示してないがマイクロホンが設置され、また、受話口３内には、骨伝導スピーカ４が設置される。骨伝導スピーカ４には、ケーシング１に内蔵されたアンプ５が接続される。
【００１１】
マイクロホン及び骨伝導スピーカ４には、従来のものと同様の接続コード６が接続され、アンプ５には、接続コード６とは別の接続コード７が接続される。この２本の接続コード６、７のケーシング１外部分は、バラバラにならないように撚り合わせ、あるいは、１本のチューブ８内に収めることが好ましい。各接続コード６、７のケーシング１内部分とケーシング１外部分とは、ケーシング１の下底面に設けられるモジュラージャックを介して接続される。
【００１２】
マイクロホン及び骨伝導スピーカ４側の接続コード６の後端には、電話機本体１５のジャック１６（図２参照）に差し込み可能な電話機用コネクタ９が接続され、電源用接続コード７の後端には、図示せぬＡＣアダプタのＤＣプラグが差し込み可能なＤＣジャック１０が接続される。
【００１３】
この場合、接続コード６の電話機用コネクタ９側、及び、電源用接続コード７のＤＣジャック１０側は、電話機本体１５の適当な場所に設置されるジャック１６、及び、ＡＣアダプタのＤＣプラグを差し込み容易にするために、それぞれチューブ８から適当な長さ露出させる。
【００１４】
図２に示す実施形態においては、電源用接続コード７が延長され、その先端に直接ＡＣアダプタ１１が取り付けられている。
【００１５】
本発明に係る送受話器の使用に当っては、電話機用コネクタ９を電話機本体１５のジャック１６に差し込み、ＤＣジャック１０にＡＣアダプタのＤＣプラグを差し込む。アンプ５を駆動するための電源は、ＡＣアダプタから得られる。電源用接続コード７に直接ＡＣアダプタ１１を取り付けたときは、ＡＣアダプタ１１を家庭用電源コンセントに差込む。かくして、受話口３を耳又はその周辺部に圧接させ、その他は一般の送受話器と同様にして使用することが可能となる。即ち、使用者は、送受話器を手に持って、受話口３を耳又は耳の周辺部に当てることにより、骨伝導による受話通話を行なうことができる。
【００１６】
更に、追加機能として、アンプ駆動用電源の入切スイッチ１２を、ケーシング１に設置することができる。入切スイッチ１２としては、例えば、スプリングによって付勢された状態にてケーシング１から突出するように設置され、電話機本体１５から送受話器を取り上げることにより、スプリングの作用で突出してスイッチオンとなってアンプの電源が入り、送受話器置き部上に降ろすと、押されてケーシング１に埋没状態となり、スイッチオフとなるタイプのものとすることができる。
【００１７】
骨伝導スピーカ４をケーシング１に対し、その長さ方向にスライド可能にしたり、球面運動可能に取り付けることもある。
【００１８】
長さ方向にスライド可能にするには、受話口３の骨伝導スピーカ４設置面にスリットを形成し、骨伝導スピーカ４の頸状支持部１３のくびれ部分をこのスリットに沿って摺動可能にすればよい。また、球面運動可能にするには、受話口３の骨伝導スピーカ４設置面に係止孔を形成し、そこにおいて、骨伝導スピーカ４の頸状支持部１３を揺動可能に係止させればよい。
【００１９】
上記のように構成した場合は、送受話器の長さ、及び、骨伝導スピーカ４の頭部当接面の角度を変化させることが可能となり、そのようにすることで、送受話器置き部の寸法や形状の異なる複数種の電話機に対応して利用可能にすることができる（図３参照）。
【００２０】
【発明の効果】
本発明は上述した通りであって、本発明に係る電話機用送受話器は、何らの違和感もなく一般の送受話器と同じ感覚で使用でき、また、既存の一般的電話機に対し、それだけを付け替えることにより使用可能で、安価且つ手軽に骨伝導受話を実現できる効果がある。
【図面の簡単な説明】
【図１】本発明に係る電話機用送受話器の一実施形態の側面図である。
【図２】本発明に係る電話機用送受話器の他の実施形態の斜視図である。
【図３】本発明に係る電話機用送受話器の更に他の実施形態の側面図である。
【符号の説明】
１    ケーシング
２    送話口
３    受話口
４    骨伝導スピーカ
５    アンプ
６    接続コード
７    電源用接続コード
８    チューブ
９    電話機用コネクタ
１０  ＤＣジャック
１１  ＡＣアダプタ
１２  入切スイッチ
１５  電話機本体
１６  ジャック
【図１】
2004312171.tif 000003
【図２】
2004312171.tif 000004
【図３】
2004312171.tif 000005
【手続補正書】
【提出日】平成16年4月2日(2004.4.2)
【手続補正１】
【補正対象書類名】明細書
【補正対象項目名】００１２
【補正方法】変更
【補正の内容】
【００１２】
マイクロホン及び骨伝導スピーカ４側の接続コード６の後端には、電話機本体１５のジャック１６（図２参照）に差し込み可能な電話機用コネクタ９が接続され、電源用接続コード７の後端には、図示せぬＡＣアダプタのＤＣプラグが差し込み可能なＤＣジャック１０が接続される（図１）。


【手続補正２】
【補正対象書類名】明細書
【補正対象項目名】００１６
【補正方法】変更
【補正の内容】
【００１６】
更に、追加機能として、アンプ駆動用電源の入切スイッチ１２を、ケーシング１に設置することができる（図３）。入切スイッチ１２としては、例えば、スプリングによって付勢された状態にてケーシング１から突出するように設置され、電話機本体１５から送受話器を取り上げることにより、スプリングの作用で突出してスイッチオンとなってアンプの電源が入り、送受話器置き部上に降ろすと、押されてケーシング１に埋没状態となり、スイッチオフとなるタイプのものとすることができる。


【手続補正３】
【補正対象書類名】明細書
【補正対象項目名】００１７
【補正方法】変更
【補正の内容】
【００１７】
骨伝導スピーカ４をケーシング１に対し、その長さ方向にスライド可能にしたり、球面運動可能に取り付けることもある（図３参照）。


【手続補正４】
【補正対象書類名】明細書
【補正対象項目名】００１９
【補正方法】変更
【補正の内容】
【００１９】
上記のように構成した場合は、送受話器の長さ、及び、骨伝導スピーカ４の頭部当接面の角度を変化させることが可能となり、そのようにすることで、送受話器置き部の寸法や形状の異なる複数種の電話機に対応して利用可能にすることができる。
【手続補正５】
【補正対象書類名】図面
【補正対象項目名】図２
【補正方法】変更
【補正の内容】
【図２】
2004312171.tif 000006